(57)【要約】【課題】シューズ用ソール構造において、安定性を維持しつつ快適性を高めるようにする。【解決手段】ソール構造１の支持部１０は、足幅方向の中央領域に配設され、着用者の足の足裏面に沿った上面を有する基部１１と、基部１１における足幅方向の内甲側の側部１１ｂに連続するように設けられた上側および下側支持部２１，２２と、を有している。上側支持部２１は、その上面が基部１１の上面とともに足裏面に沿った形状になるように基部１１の側部１１ｂに連続している。下側支持部２２は、上側支持部２１の下側に位置するように基部１１の側部１１ｂに連続し、凹凸が基部１１の側部に沿って前後方向に繰り返された波形状に形成されている。【選択図】図６
2018153355.tif 000002
【特許請求の範囲】
【請求項１】
弾性材からなるソール本体と、
前記ソール本体の厚さ方向中間部に設けられ、前記ソール本体よりも硬質な薄肉層からなる支持部と、を備えるシューズ用ソール構造であって、
前記支持部は、
足幅方向の中央領域に配設され、着用者の足の足裏面に沿った上面を有する基部と、
前記基部における足幅方向の少なくとも一方の側部に連続するように設けられた上側支持部および下側支持部と、を有し、
前記上側支持部は、その上面が前記基部の上面とともに前記足裏面に沿った形状になるように該基部の側部に連続し、
前記下側支持部は、前記上側支持部の下側に位置するように前記基部の側部に連続し、凹凸が該基部の側部に沿って前後方向に繰り返された波形状に形成されている、シューズ用ソール構造。
【請求項２】
請求項１に記載のシューズ用ソール構造において、
前記基部の上面が平坦面に形成されている、シューズ用ソール構造。
【請求項３】
請求項１または２に記載のシューズ用ソール構造において、
前記下側支持部は、
上方に向かって膨らんだ状態に湾曲形成され、頂部が前記上側支持部と一体に連続する凸状湾曲部と、
前記凸状湾曲部の前後に連続しかつ下方に向かって窪んだ状態に湾曲形成された凹状湾曲部と、を含む、シューズ用ソール構造。
【請求項４】
請求項１〜３のいずれか１項に記載のシューズ用ソール構造において、
前記上側支持部の下面と前記下側支持部の上面との間にリブ部が設けられている、シューズ用ソール構造。
【請求項５】
請求項１〜４のいずれか１項に記載のシューズ用ソール構造において、
前記上側支持部には、その側部から上方に向かって立ち上がりかつ前後方向に延びる側壁部が設けられている、シューズ用ソール構造。
【請求項６】
請求項１〜５のいずれか１項に記載のシューズ用ソール構造において、
前記支持部は、着用者の足の踵部に対応する位置を含むように配設されている、シューズ用ソール構造。
【請求項７】
請求項１〜６のいずれか１項に記載のシューズ用ソール構造において、
前記上側および下側支持部は、足幅方向の内甲側に配設されている、シューズ用ソール構造。
【請求項８】
請求項１〜６のいずれか１項に記載のシューズ用ソール構造において、
前記上側および下側支持部は、足幅方向の外甲側に配設されている、シューズ用ソール構造。
【請求項９】
請求項１〜８のいずれか１項に記載のシューズ用ソール構造を備えるシューズ。
【発明の詳細な説明】
【技術分野】
【０００１】
本発明は、シューズ用ソール構造およびそれを用いたシューズに関するものである。
【背景技術】
【０００２】
従来、軟質弾性材からなるミッドソールと、該ミッドソールの下面に貼り合わされたアウトソールとを主な構成要素とするクッション性を重視したスポーツ用シューズのソール構造が一般に広く知られている。さらに、このソール構造を発展させて、歩行中または走行中の接地時にシューズが足幅方向に過度に変形することにより生じる横振れを防止するようにしたものとして、例えば特許文献１のようなスポーツ用シューズのソール構造が提案されている。
【０００３】
この特許文献１には、下面に接地面を有するアウトソールと、アウトソールの上側に積層された弾性材からなるミッドソールと、ミッドソールの厚さ方向中間部に設けられ、着用者の足の後足部から中足部に対応する位置に配置されてミッドソールよりも硬質な薄肉層からなる波形シートと、を備えたソール構造が開示されている。波形シートの上面は、凹凸が足幅方向の全域に亘って前後方向に繰り返された波形状になるように形成されている。また、波形シートにおける内甲側および外甲側の少なくとも一方には、所定の隙間を介して波形シートの厚み方向に上下に二重に形成された二重構造が設けられている。
【先行技術文献】
【特許文献】
【０００４】
【特許文献１】特開２０００−４９０５号公報
【発明の概要】
【発明が解決しようとする課題】
【０００５】
上記特許文献１のソール構造では、波形シートの二重構造が有する圧縮剛性（圧縮硬度）により該ソール構造を備えたシューズを着用した者（以下「着用者」という）の足（特に踵部分）に対する安定性が担保されていた。しかしながら、このソール構造では、圧縮剛性を高めるために波形シート上面に振幅が比較的大きい上記波形状が足幅方向の全域に亘って一様に形成されている。このため、例えば歩行中または走行中の接地時においてソール構造に鉛直上下方向の衝撃が生じたときに、波形シート上面の凸部分が足裏面を突き上げてしまうようになっていた。すなわち、上記衝撃による反力が上記凸部分を介して足裏面に対し局所的に作用していた。このように、上記特許文献１のソール構造では、安定性を重視した結果、着用者の足の足裏面に若干の不快感が生じてしまい、足に対する快適性が適切に保たれないようになっていた。
【０００６】
本発明は斯かる点に鑑みてなされたものであり、その目的は、シューズ用ソール構造の安定性を維持しつつ快適性を高めることができるようにすることにある。
【課題を解決するための手段】
【０００７】
上記の目的を達成するために、本発明の第１の形態はシューズ用ソール構造に係るものであり、このソール構造は、弾性材からなるソール本体と、ソール本体の厚さ方向中間部に設けられ、ソール本体よりも硬質な薄肉層からなる支持部と、を備えている。支持部は、足幅方向の中央領域に配設され、着用者の足の足裏面に沿った上面を有する基部と、基部における足幅方向の少なくとも一方の側部に連続するように設けられた上側支持部および下側支持部と、を有している。そして、上側支持部は、その上面が基部の上面とともに足裏面に沿った形状になるように該基部の側部に連続し、下側支持部は、上側支持部の下側に位置するように基部の側部に連続し、凹凸が基部の側部に沿って前後方向に繰り返された波形状に形成されていることを特徴とする。
【０００８】
第１の形態において、上側支持部は、その上面が基部の上面とともに足裏面に沿った形状になるように基部の側部に連続している。すなわち、支持部は、基部および上側支持部の各上面がソール本体を介して足裏面の形状に沿うように足裏面を支持している。これにより、例えば歩行中または走行中の接地時にソール構造に鉛直上下方向の衝撃が生じたとしても、その衝撃による反力が基部および上側支持部に対応する位置の足裏面に分散される。このように、ソール構造では、足裏面に対する局所的な力の作用が抑制される結果、足裏面に不快感が生じないように足に対する快適性を高めることが可能となる。一方、下側支持部は、上側支持部の下側に位置するように基部の側部に連続し、凹凸が基部の側部に沿って前後方向に繰り返された波形状に形成されている。この波形状により下側支持部では剛性が高められている。このため、例えばソール構造に鉛直上下方向の衝撃が生じたとしても、ソール構造における下側支持部が配置された位置に対応する部分の変形が抑えられる。その結果、ソール構造では、歩行中または走行中に着用者の足が足幅方向の側方に向かって過度に倒れ込まないように足を安定させることが可能となる。したがって、第１の形態では、安定性を維持しつつ、快適性を高めることができる。
【０００９】
第２の形態は、第１の形態において、基部の上面が平坦面に形成されていることを特徴とする。
【００１０】
この第２の形態では、基部の上面が平坦面に形成されているため、足幅方向の中央領域では、歩行中または走行中の接地時における衝撃が基部全体に分散して、基部に局所的な変形が生じにくくなる。すなわち、基部全体が撓み変形しやすくなり、基部により足幅方向の中央領域に生じる衝撃を安定して吸収することができる。
【００１１】
第３の形態は、第１または第２の形態において、下側支持部は、上方に向かって膨らんだ状態に湾曲形成され、頂部が上側支持部と一体に連続する凸状湾曲部と、凸状湾曲部の前後に連続しかつ下方に向かって窪んだ状態に湾曲形成された凹状湾曲部と、を含むことを特徴とする。
【００１２】
この第３の形態では、凸状および凹状湾曲部により下側支持部の剛性が高められているとともに、上側支持部と一体に連続する凸状湾曲部の頂部により上側支持部が下側支持部に強固に支持された状態となることから、着用者の足を確実に安定させることができる。
【００１３】
第４の形態は、第１〜第３のいずれか１つの形態において、上側支持部の下面と下側支持部の上面との間にリブ部が設けられていることを特徴とする。
【００１４】
この第４の形態では、リブ部により上側支持部と下側支持部との間隔が一定に保たれることから、下側支持部の波形状が経年劣化で変形しないようにその形状を維持することが可能となる。これにより、ソール構造の安定性を長期間に亘って持続させることができる。
【００１５】
第５の形態は、第１〜第４のいずれか１つの形態において、上側支持部には、その側部から上方に向かって立ち上がりかつ前後方向に延びる側壁部が設けられていることを特徴とする。
【００１６】
この第５の形態では、側壁部により上側支持部の側部における曲げ剛性を高めることが可能となり、着用者の足が足幅方向の側方に向かって過度に倒れ込まないように足をより一層安定させることができる。
【００１７】
第６の形態は、第１〜第５のいずれか１つの形態において、支持部は、着用者の足の踵部に対応する位置を含むように配設されていることを特徴とする。
【００１８】
第６の形態では、支持部が着用者の足の踵部に対応する位置を含むように配設されていることから、歩行中または走行中において着用者の足が路面に接地するときに踵部に生じる衝撃を支持部により適切に緩和することができる。
【００１９】
第７の形態は、第１〜第６のいずれか１つの形態において、上側および下側支持部は、足幅方向の内甲側に配設されていることを特徴とする。
【００２０】
第７の形態では、支持部における内甲側の剛性が向上し、歩行中または走行中において着用者の足が路面に接地するときに足の内甲側の安定性を高めることができる。
【００２１】
第８の形態は、第１〜第６のいずれか１つの形態において、上側および下側支持部は、足幅方向の外甲側に配設されていることを特徴とする。
【００２２】
第８の形態では、支持部における外甲側の剛性が向上し、例えば野球、サッカー、バレーボールやバスケットボールなどのスポーツにおいて足の外甲側を起点とするサイドステップ動作等の際にスムーズな体重移動を行うことができる。
【００２３】
第９の形態は、第１〜第８の形態のいずれか１つのシューズ用ソール構造を備える、シューズである。
【００２４】
この第９の形態では、上記第１〜第８の形態と同様の作用効果を奏するシューズを得ることができる。
【発明の効果】
【００２５】
以上説明したように、本発明によると、安定性を維持しつつ、快適性を高めることができる。
【図面の簡単な説明】
【００２６】
【図１】図１は、本発明の第１実施形態に係るシューズ用ソール構造の底面図である。
【図２】図２は、ソール構造に人体の足の構造を重ねた状態を外甲側から見て示す側面図である。
【図３】図３は、ソール構造に人体の足の構造を重ねた状態を内甲側から見て示す側面図である。
【図４】図４は、支持部を外甲側から見て示す斜視図である。
【図５】図５は、支持部を内甲側から見て示す斜視図である。
【図６】図６は、図１のVI−VI線断面図である。
【発明を実施するための形態】
【００２７】
以下、本発明の実施形態を図面に基づいて詳細に説明する。以下の実施形態の説明は、本質的に例示に過ぎず、本発明、その適用物或いはその用途を制限することを意図するものではない。
【００２８】
図１〜図３は、本発明の実施形態に係るシューズ用のソール構造１の全体を示し、このソール構造１にアッパー（図示せず）などが設けられたシューズは、例えばランニング用や各種競技用のスポーツシューズ、日常使用のスニーカーおよびリハビリ用シューズとして使用される。
【００２９】
ここで、ソール構造１は、左足用シューズのソール構造１のみを例示している。右足用シューズのソール構造１は、左足用シューズのものと左右対称になるように構成されているので、以下の説明では左足用シューズのソール構造１のみについて説明し、右足用シューズのソール構造１の説明は省略する。
【００３０】
また、以下の説明において、上方（上側）および下方（下側）とはソール構造１の上下方向の位置関係を表し、前方（前側）および後方（後側）とはソール構造１の前後方向の位置関係を表し、内甲側および外甲側とはソール構造１の足幅方向の位置関係を表すものとする。
【００３１】
（アウトソール）
図１〜図３に示すように、ソール構造１は、人体の前足部Ｆから後足部Ｈに亘る範囲に設けられたアウトソール２を備えている。このアウトソール２は、後述するミッドソール３よりも高硬度の硬質弾性部材で構成されており、例えばエチレン−酢酸ビニル共重合体（ＥＶＡ）等の熱可塑性樹脂、ポリウレタン（ＰＵ）等の熱硬化性樹脂、またはブタジエンラバーやクロロプレンラバー等のラバー素材が適している。
【００３２】
アウトソール２は、前足部Ｆから中足部Ｍの前部までの範囲を支持する前部アウトソール２ａ，２ａ，…と、この前部アウトソール２ａ，２ａ，…とは分離され、中足部Ｍの後部から後足部Ｈまでの範囲を支持する後部アウトソール２ｂ，２ｂ，…とにより構成されている。また、前側および後部アウトソール２ａ，２ｂの各々の下面には、路面に接する接地面がそれぞれ形成されている。
【００３３】
（ミッドソール）
図１〜図３に示すように、ソール構造１は、前足部Ｆから後足部Ｈまでの足裏面を支持するミッドソール３（ソール本体）を備えている。このミッドソール３は、軟質の弾性材からなり、例えばエチレン−酢酸ビニル共重合体（ＥＶＡ）等の熱可塑性合成樹脂やその発泡体、ポリウレタン（ＰＵ）等の熱硬化性樹脂やその発泡体、ブタジエンラバーやクロロプレンラバー等のラバー素材やその発泡体などが適している。ミッドソール３は、その下部が接着剤などによってアウトソール２（前部および後部アウトソール２ａ，２ｂ）の上部に固着されることにより、アウトソール２の上側に積層配置されている。また、ミッドソール３の周縁部には、ソール構造１を備えたシューズを着用した者（以下「着用者」という）の足を覆うアッパー（図示せず）が設けられている。
【００３４】
また、ミッドソール３は上下に分離されている。具体的に、ミッドソール３は、上部ミッドソール３ａと、上部ミッドソール３ａの下側に積層配置された下部ミッドソール３ｂとを有している。上部ミッドソール３ａの上部には、前足部Ｆから後足部Ｈまでの足裏面を支持する足裏支持面３ｃが前後方向に延びるように形成されている。図６に示すように、足裏支持面３ｃは、アウトソール２に向かって下方に湾曲しており、内甲側および外甲側に対応する位置の周縁部が足幅方向の中央部分よりも上方に位置するように形成されている。
【００３５】
（支持部）
図１〜図３に示すように、ソール構造１は、ミッドソール３の厚さ方向中間部であって、上部および下部ミッドソール３ａ，３ｂ間に位置し、足の踵部ｈ（図２および図３参照）に対応する後足部Ｈを含むように配設された支持部１０を備えている。この支持部１０は、ミッドソール３よりも硬質な薄肉層からなり、好ましくは硬質弾性部材により構成されている。ここで、硬質弾性部材の具体例としては、熱可塑性ポリウレタン（ＴＰＵ）やポリアミドエラストマー（ＰＡＥ）、ＡＢＳ樹脂等の熱可塑性樹脂、またはエポキシ樹脂等や不飽和ポリエステル樹脂等の熱硬化性樹脂が挙げられる。なお、炭素繊維やアラミド繊維、ガラス繊維等を強化用繊維とし、熱硬化性樹脂や熱可塑性樹脂をマトリックス樹脂とした繊維強化プラスチック（ＦＲＰ）を用いてもよい。
【００３６】
支持部１０は、足の前足部Ｆの後部から後足部Ｈに亘って前後方向に延びており、上部および下部ミッドソール３ａ，３ｂの間に積層配置されている。図６に示すように、支持部１０は、その足幅方向の長さが上部ミッドソール３ａの足幅方向の長さと略同じ長さになるように形成されている。そして、支持部１０は、下面が下部ミッドソール３ｂの上面に、また上面が上部ミッドソール３ａの下面にそれぞれ接着剤などによって固着されている。なお、図１〜図３および図６では、支持部１０を強調して示すためにドットによるハッチングを付している。
【００３７】
図４〜図６に示すように、支持部１０は、内甲側と外甲側との間で足幅方向の中央領域に設けられた基部１１を有している。この基部１１は、中足部Ｍから後足部Ｈに亘って前後方向に延びており、足幅方向の中央領域に対応する足裏面を支持するように構成されている。また、基部１１は、足裏面の形状に沿った上面を有している。具体的に、基部１１の上面は平坦面に形成されている。なお、平坦面としては、完全に平らな面だけに限られず、若干の起伏を有する滑らかな面も含むものとする。
【００３８】
また、図２に示すように、支持部１０は、後足部Ｈの外甲側に対応する位置に設けられた波形側部１２を有している。図４および図５に示すように、波形側部１２は、基部１１における足幅方向の外甲側の側部１１ａに連続していて、凹凸が基部１１の側部１１ａに沿って前後方向に繰り返された波形状に形成されている。このような波形状の波形側部１２により、支持部１０における外甲側の圧縮剛性が高められている。
【００３９】
次に、本発明の特徴として、図３〜図６に示すように、支持部１０は、中足部Ｍから後足部Ｈに亘って内甲側に対応する位置に設けられた上側支持部２１および下側支持部２２を有している。
【００４０】
図４および図６に示すように、上側支持部２１は、基部１１の内甲側の側部１１ｂに連続している。上側支持部２１は、その上面が基部１１の上面とともに足裏面に沿った形状に形成されている。
【００４１】
一方、図６に示すように、下側支持部２２は、上側支持部２１の下側に位置するように基部１１の内甲側の側部１１ｂに連続している。具体的に、下側支持部２２は、基部１１の側部１１ｂから内甲側に向かって上側支持部２１よりも下方に延びるように形成されている。言い換えると、下側支持部２２は、基部１１の側部１１ｂから内甲側に向かって上側支持部２１と異なる方向に向かうように分岐している。
【００４２】
図３に示すように、下側支持部２２は、凹凸が基部１１の側部１１ｂに沿って前後方向に繰り返された波形状に形成されている。具体的に、図５に示すように、下側支持部２２は、凸状湾曲部２３，２３，…および凹状湾曲部２４，２４，…を有している。各凸状湾曲部２３は、上方に向かって膨らんだ状態に湾曲形成されている。各凸状湾曲部２３の上側には、上側支持部２１と一体に連続する頂部２３ａが形成されている。一方、各凹状湾曲部２４は、各凸状湾曲部２３の前後に連続しかつ下方に向かって窪んだ状態に湾曲形成されている。各凹状湾曲部２４の下側には、凸状湾曲部２３の頂部２３ａよりも下方に位置する底部２４ａが形成されている。
【００４３】
また、上側支持部２１の下面と下側支持部２２の上面との間には略板状のリブ部２５，２５，…が設けられている。各リブ部２５は、上部が上側支持部２１の下面に連続する一方、下部が下側支持部２２の上面に連続するように形成されている。
【００４４】
ここで、図４〜図６に示すように、上側支持部２１には、内甲側の側部から上方に向かって立ち上がった略板状の側壁部２６が設けられている。側壁部２６は、上側支持部２１の後端部から前端部に亘って前後方向に延びている。
【００４５】
さらに、図４〜図５に示すように、上側支持部２１には、その前端部から前方に向かって延びる補強部２７が設けられている。この補強部２７は、前足部Ｆ後部の内甲側に対応する位置で上部ミッドソール３ａと下部ミッドソール３ｂとの間に積層配置されている。この補強部２７により、前足部Ｆ後部の内甲側に対応する位置においてソール構造１の剛性が高められている。
【００４６】
（実施形態の作用効果）
以上のように、ソール構造１において、上側支持部２１は、その上面が基部１１の上面とともに足裏面に沿った形状になるように基部１１の側部１１ｂに連続している。すなわち、支持部１０は、基部１１および上側支持部２１の各上面が上部ミッドソール３ａを介して足裏面の形状に沿うように足裏面を支持している。これにより、例えば歩行中または走行中の接地時にソール構造１に鉛直上下方向の衝撃が生じたとしても、その衝撃による反力が基部１１および上側支持部２１に対応する位置の足裏面に分散される。このように、ソール構造１では、足裏面に対する局所的な力の作用が抑制される結果、足裏面に不快感が生じないように足に対する快適性を高めることが可能となる。一方、下側支持部２２は、上側支持部２１の下側に位置するように基部１１の側部１１ｂに連続し、凹凸が基部１１の側部１１ｂに沿って前後方向に繰り返された波形状に形成されている。この波形状により下側支持部２２では剛性（特に圧縮剛性）が高められている。このため、例えばソール構造１に鉛直上下方向の衝撃が生じたとしても、ソール構造１における下側支持部２２が配置された位置に対応する部分の変形が抑えられる。その結果、ソール構造１では、歩行中または走行中に着用者の足（特に足首）が足幅方向の内甲側に向かって過度に倒れ込まないように足を安定させることが可能となる。したがって、本発明の実施形態に係るソール構造１では、安定性を維持しつつ、快適性を高めることができる。
【００４７】
また、基部１１の上面が平坦面に形成されているため、足幅方向の中央領域では、歩行中または走行中の接地時における衝撃が基部１１全体に分散して、基部１１に局所的な変形が生じにくくなる。すなわち、基部１１全体が撓み変形しやすくなり、基部１１により足幅方向の中央領域に生じる衝撃を安定して吸収することができる。
【００４８】
また、凸状湾曲部２３，２３，…および凹状湾曲部２４，２４，…により下側支持部２２の剛性が高められているとともに、上側支持部２１と一体に連続する各凸状湾曲部２３の頂部２３ａにより上側支持部２１が下側支持部２２に強固に支持された状態となることから、着用者の足を確実に安定させることができる。
【００４９】
また、下側支持部２２の上面と上側支持部２１の下面との間に設けられた各リブ部２５により上側支持部２１と下側支持部２２との間隔が一定に保たれることから、下側支持部２２の波形状が経年劣化で変形しないようにその形状を維持することが可能となる。これにより、ソール構造１の安定性を長期間に亘って持続させることができる。
【００５０】
また、上側支持部２１の側部に設けられた側壁部２６により上側支持部２１の側部における曲げ剛性を高めることが可能となり、着用者の足が足幅方向の側方に向かって過度に倒れ込まないように足をより一層安定させることができる。
【００５１】
また、支持部１０が着用者の足の踵部に対応する位置を含むように配設されていることから、歩行中または走行中において着用者の足が路面に接地するときに踵部に生じる衝撃を支持部１０により適切に緩和することができる。
【００５２】
また、上側および下側支持部２１，２２が足幅方向の内甲側に配設されているため、支持部１０における内甲側の剛性が向上し、歩行中または走行中において着用者の足が路面に接地するときに足の内甲側の安定性を高めることができる。
【００５３】
［その他の実施形態］
上記実施形態に係るソール構造１では、基部１１の上面を平坦面に形成した形態を示したが、この形態に限られない。すなわち、基部１１の上面を着用者の足裏面における凹凸形状に沿わせた曲面に形成してもよい。例えば、基部１１の上面を、凹凸部分の各曲率が凸状湾曲部２３および凹状湾曲部２４の曲率よりも小さくなるように前後方向に繰り返された湾曲形状（つまり、下側支持部２１の波形状よりも緩やかに湾曲した波形状）に形成してもよい。要は、基部１１の上面が、着用者の足裏を過度に刺激しないような形状になっていればよい。なお、上側支持部２１の上面についてもこれと同様である。
【００５４】
また、上記実施形態に係るソール構造１では、アウトソール２およびミッドソール３の双方を備える形態を示したが、この形態に限られない。すなわち、ソール構造１としては、アウトソール２を備えない形態であってもよい。要は、ソール構造１として、少なくともソール本体としてのミッドソール３を備える形態であればよい。
【００５５】
また、上記実施形態に係るソール構造１では、支持部１０が足の踵部ｈに対応する後足部Ｈを含むように配設された形態を示したが、この形態に限られない。例えば、支持部１０が前足部Ｆおよび／または中足部Ｍに配設された形態であってもよい。
【００５６】
また、上記実施形態に係るソール構造１では、上側および下側支持部２１，２２を足幅方向の内甲側に配設した形態を示したが、この形態に限られない。例えば、上側および下側支持部２１，２２が足幅方向の外甲側に配設された形態であってもよい。このような形態であれば、支持部１０における外甲側の剛性が向上し、例えば野球、サッカー、バレーボールやバスケットボールなどのスポーツにおいて足の外甲側を起点とするサイドステップ動作等の際にスムーズな体重移動を行うことができる。あるいは、上側および下側支持部２１，２２が足幅方向の内甲側および外甲側の双方に配設された形態であってもよい。
【００５７】
また、上記実施形態に係るソール構造１では、下側支持部２２における各凸状湾曲部２３の頂部２３ａが上側支持部２１と一体に連続する形態を示したが、この形態に限られない。すなわち、各凸状湾曲部２３の頂部２３ａと上側支持部２１との間に一定の間隙が形成されていてもよい。
【００５８】
また、上記実施形態に係るソール構造１では、リブ部２５，２５，…を設けた形態を示したが、特にリブ部２５，２５，…を設けなくてもよい。側壁部２６および補強部２７についても同様である。
【００５９】
以上、本発明についての実施形態を説明したが、本発明は上述の実施形態のみに限定されず、発明の範囲内で種々の変更が可能である。
【産業上の利用可能性】
【００６０】
本発明は、例えばウォーキング用、ランニング用や各種競技用のスポーツシューズ、またはリハビリ用シューズに適用されるシューズ用ソール構造およびそれを用いたシューズとして産業上の利用が可能である。
【符号の説明】
【００６１】
１：ソール構造
２：アウトソール
３：ミッドソール（ソール本体）
３ａ：上部ミッドソール
３ｂ：下部ミッドソール
１０：支持部
１１：基部
１２：波形側部
２１：上側支持部
２２：下側支持部
２３：凸状湾曲部
２３ａ：頂部
２４：凹状湾曲部
２４ａ：底部
２５：リブ部
２６：側壁部
【図１】
2018153355.tif 000003
【図２】
2018153355.tif 000004
【図３】
2018153355.tif 000005
【図４】
2018153355.tif 000006
【図５】
2018153355.tif 000007
【図６】
2018153355.tif 000008